(57)【要約】      （修正有）【課題】スキーアイゼン固定具によってスキー板に着脱可能に固定したスキーアイゼンがスキー板から脱落することを防止できるスキーアイゼンセットを提供する。【解決手段】スキーアイゼン２は取付板２１に固定具装着孔２４を有する。スキーアイゼン固定具３は固定具装着孔２４に嵌合する台座板３１と台座板３１上で回転可能な回転板３４を有する。回転板３４は固定具装着孔２４の入隅部２４ａ〜２４ｄと相補的な形状をした出隅部３４ｂ〜３４ｅを備える。回転板３４が、その両端部が台座板３１から外方に外れた固定位置から台座板３１の表面内に収まる初期位置に向かって回転すると、途中の係合位置３４Ｃで、回転板３４の出隅部３４ｂ、３４ｄが固定具装着孔２４の入隅部２４ｂ、２４ｄに重なる。係合位置３４Ｃでスキーアイゼン２がガタつくと、回転板３４と固定具装着孔２４が係合して、回転板３４の回転が阻止される。【選択図】図５
0003157902.tif 000002
【実用新案登録請求の範囲】
【請求項１】
スキーアイゼンと、
当該スキーアイゼンをスキー板に着脱可能に固定するために用いるスキーアイゼン固定具とを有しており、
前記スキーアイゼンは、
スキー板の表面に配置される取付板部分と、
当該取付板部分の厚さ方向に貫通している固定具装着孔を備え、
前記スキーアイゼン固定具は、
前記固定具装着孔の深さと同一の厚さおよび当該固定具装着孔の輪郭形状と相補的な輪郭形状を備え、スキー板の表面に固定される台座板と、
当該台座板に固定され、雄ねじ部を備えた脚部が当該台座板の表面から垂直に突出している締結用ボルトと、
前記台座板の表面側に積層され、前記締結用ボルトを中心として、前記台座板の表面内に収まる第１回転位置から、第２回転位置を経由して、前記表面から端部が外方に外れた第３回転位置に回転可能な回転板と、
前記締結用ボルトの前記脚部にねじ込まれ、前記回転板を前記台座板と共に挟持している締結用ナットとを備えており、
前記固定具装着孔は、少なくとも一つの入隅部を備えた輪郭形状をしており、
前記回転板の輪郭形状は、前記入隅部と相補的な形状をした出隅部を備え、当該出隅部が前記第２回転位置において前記固定具装着孔の前記入隅部に重なる位置となるように設定されていることを特徴とするスキーアイゼンセット。
【請求項２】
請求項１において、
前記固定具装着孔は円弧状に面取りされた四隅を備えた矩形輪郭をしており、これらの円弧状の四隅が前記入隅部であり、
前記回転板は、矩形の四隅が円弧状に面取りされ、各辺が凹曲線によって規定された輪郭形状をしており、これらの円弧状の四隅が前記出隅部であり、
前記第２回転位置においては、前記回転板における対角方向の両端に位置する２つの前記出隅部が、前記固定具装着孔における２つの前記入隅部に重なることを特徴とするスキーアイゼンセット。
【請求項３】
請求項２において、
前記台座板と前記回転板の間には、前記締結用ボルトと同軸状態に第１ワッシャーが配置されていることを特徴とするスキーアイゼンセット。
【請求項４】
請求項３において、
前記回転板は、金属製であることを特徴とするスキーアイゼンセット。
【請求項５】
請求項４において、
前記第１ワッシャーは、樹脂製であることを特徴とするスキーアイゼンセット。
【請求項６】
請求項５において、
前記回転板は、前記締結用ナットを装着するために円形凹部と、当該円形凹部の底面の中心に形成したボルト孔とを備えており、
前記円形凹部の底面と前記締結用ナットの間には、前記締結用ボルトと同軸状態に樹脂製の第２ワッシャーが配置されていることを特徴とするスキーアイゼンセット。
【請求項７】
請求項２ないし６のうちのいずれかの項において、
前記スキーアイゼン固定具は、前記台座板をスキー板に締結するための４本の締結用ネジを有しており、
前記台座板は、四隅に前記締結用ネジを挿通させるための貫通孔を備えていることを特徴とするスキーアイゼンセット。
【請求項８】
請求項１ないし７のうちのいずれかの項に記載されているスキーアイゼンセットのスキーアイゼン固定具。
【請求項９】
請求項１ないし７のうちのいずれかの項に記載されているスキーアイゼンセットのスキーアイゼンであって、
前記取付板部分における幅方向の一方の端から、当該取付板部分の裏面側に延びているとともに当該取付板部分の前後方向に延びている板状の第１横滑り防止刃と、
前記取付板部分における前記幅方向の他方の端から、当該取付板部分の前記裏面側に延びているとともに当該取付板部分の前記前後方向に延びている板状の第２横滑り防止刃とを有していることを特徴とするスキーアイゼン。
【考案の詳細な説明】
【技術分野】
【０００１】
本考案は、スキーアイゼンと、このスキーアイゼンをスキー板に固定するスキーアイゼン固定具を備えるスキーアイゼンセットに関する。より詳細には、スキーアイゼン固定具によってスキー板に固定したスキーアイゼンがスキー板から脱落することを防止できるスキーアイゼンセットに関する。
【背景技術】
【０００２】
山スキーやテレマークスキーでは、雪山の登高に際して、スキー板にスキーアイゼン（特許文献１参照）を装着することがある。スキーアイゼンは、スキー板の横滑りを防止するためのアタッチメントであり、山中において工具を使用することなくスキー板に着脱可能に固定できるように、専用のスキーアイゼン固定具と一緒にスキーアイゼンセットとして市販されている。
【０００３】
図７は市販されているスキーアイゼンセットを模式的に示した説明図である。図７（ａ）に示すように、スキーアイゼンセット１００のスキーアイゼン１１０は、スキー板の表面に配置される所定厚さの取付板１１１と、取付板１１１の幅方向の両端縁からそれぞれ取付板１１１の裏面側に延びているとともに前後方向に延びている板状の第１、第２横滑り防止刃１１２、１１３を備えている。取付板１１１には、楕円の輪郭形状を備える固定具装着孔１１４が厚さ方向に貫通している。
【０００４】
スキーアイゼンセット１００のスキーアイゼン固定具１２０は、固定具本体１２１と固定具本体をスキー板に締結するための２本の締結用ネジ１２２を備えている。固定具本体１２１は、スキーアイゼン１１０の取付板１１１と同一の厚さの金属製の台座板１２３と、台座板１２３に固定され、雄ねじ部を備えた脚部がこの台座板１２３の中心部分の表面から垂直に突出している締結用ボルト１２４と、台座板１２３の表面に積層され、締結用ボルト１２４を中心として回転可能なプラスチック製の回転板１２５と、締結用ボルト１２４の脚部にねじ込まれ、台座板１２３との間に回転板１２５を保持する締結用ナット１２６とを備えている。台座板１２３と回転板１２５とは同一の平面形状を備えており、これらの平面形状は固定具装着孔１１４の輪郭形状と相補的な楕円形をしている。台座板１２３の長手方向の両端部分には、締結用ネジ１２２を挿通させるための貫通孔１２３ａが形成されている。
【０００５】
スキーアイゼン固定具１２０は、２本の締結用ネジ１２２によって台座板１２３がスキー板１３０に締結されることにより、予め、スキー板１３０の表面１３０ａに固定される。山中においてスキーアイゼン１１０をスキー板１３０に装着する際には、図７（ａ）に示すように、まず、回転板１２５を台座板１２３の表面内に収まる初期位置１２５Ａに位置決めしておく。この状態で、第１、第２横滑り防止刃１１２、１１３がスキー板１３０の左右のエッジ１３０ｂ、１３０ｃの両側から下方に突出するようにして、取付板１１１をスキー板１３０の表面１３０ａに載せ、固定具装着孔１１４に台座板１２３を嵌め込む。しかる後に、図７（ｂ）の矢印で示すように、回転板１２５を時計回りに９０度回転させて、あるいは、反時計回りに９０度回転させて、その両端部１２５ａが台座板１２３の表面から外方に外れた固定位置１２５Ｂに位置決めする。これにより、回転板１２５の両端部１２５ａとスキー板１３０との間に取付板１１１を挟んで、スキーアイゼン１１０をスキー板１３０に固定する。
【０００６】
スキーアイゼン１１０がスキー板１３０に固定されると、スキーヤーがスキー板１３０に体重を載せたときに２枚の横滑り防止刃１１２、１１３がスキー板１３０の左右のエッジ１３０ｂ、１３０ｃの両側で雪面に食い込むようになる。従って、スキー板１３０の横滑りが低減されて、登高が楽になる。
【先行技術文献】
【特許文献】
【０００７】
【特許文献１】実開平３−７３１８０号公報
【考案の概要】
【考案が解決しようとする課題】
【０００８】
上記のスキーアイゼンセット１００では、回転板１２５が台座板１２３上で回転可能となっている。このため、スキーアイゼン１１０をスキー板１３０に装着して使用しているときに雪面や地面から受ける衝撃などによってスキーアイゼンがガタつくと、振動などより回転板１２５が固定位置１２５Ｂから回転することがある。また、スキーヤーの中には、スキーアイゼン１１０のスキー板１３０への装着を容易にするために、締結用ナット１２６の雄ねじ部への捩じ込みを緩めておき、回転板１２５を回転し易くしている者もおり、このような場合には、回転板１２５の回転が助長されることがある。
【０００９】
ここで、上記のスキーアイゼンセット１００では、回転板１２５の平面形状が回転対称なので、固定位置１２５Ｂに位置決めされていた回転板１２５が９０度回転してしまうと、回転板１２５が台座板１２３の表面内に収まった状態に戻ってしまう。この結果、スキーアイゼン１１０がスキー板１３０から脱落してしまうという問題がある。
【００１０】
本考案の課題は、このような点に鑑みて、スキーアイゼン固定具によってスキー板に着脱可能に固定したスキーアイゼンがスキー板から脱落することを防止できるスキーアイゼンセットを提案することにある。また、このようなスキーアイゼンセットに用いられるスキーアイゼン固定具およびスキーアイゼンを提案することにある。
【課題を解決するための手段】
【００１１】
上記の課題を解決するために、本考案のスキーアイゼンセットは、
スキーアイゼンと、
当該スキーアイゼンをスキー板に着脱可能に固定するために用いるスキーアイゼン固定具とを有しており、
前記スキーアイゼンは、
スキー板の表面に配置される取付板部分と、
当該取付板部分の厚さ方向に貫通している固定具装着孔を備え、
前記スキーアイゼン固定具は、
前記固定具装着孔の深さと同一の厚さおよび当該固定具装着孔の輪郭形状と相補的な輪郭形状を備え、スキー板の表面に固定される台座板と、
当該台座板に固定され、雄ねじ部を備えた脚部が当該台座板の表面から垂直に突出している締結用ボルトと、
前記台座板の表面側に積層され、前記締結用ボルトを中心として、前記台座板の表面内に収まる第１回転位置から、第２回転位置を経由して、前記表面から端部が外方に外れた第３回転位置に回転可能な回転板と、
前記締結用ボルトの前記脚部にねじ込まれ、前記回転板を前記台座板と共に挟持している締結用ナットとを備えており、
前記固定具装着孔は、少なくとも一つの入隅部を備えた輪郭形状をしており、
前記回転板の輪郭形状は、前記入隅部と相補的な形状をした出隅部を備え、当該出隅部が前記第２回転位置において前記固定具装着孔の前記入隅部に重なる位置となるように設定されていることを特徴とする。
【００１２】
本考案のスキーアイゼンセットでは、スキー板の表面に固定した台座板に対して、回転板を台座板の表面内に収まる第１回転位置となるように位置決めし、この状態で台座板が固定具装着孔に嵌め込まれた状態となるようにスキーアイゼンをスキー板の表面に載せ、しかる後に、回転板を台座板の表面から端部が外方に外れた第３回転位置に回転させ、これにより回転板の端部とスキー板の表面と間にスキーアイゼンの取付板部分を挟んで、スキーアイゼンをスキー板に固定する。ここで、スキーアイゼンをスキー板に装着して使用しているときに、雪面や地面から受ける衝撃などによってスキーアイゼンがガタつき、振動などにより回転板が第３回転位置から第１回転位置に向かって回転すると、その途中の第２回転位置において回転板の出隅部が固定具装着孔の入隅部に重なるので、ガタつきによってスキー板から浮き上がるスキーアイゼンの固定具装着孔の入隅部と回転板の出隅部とが係合して、回転板の回転が阻止される。この結果、回転板が第１回転位置に至ることがないので、スキーアイゼン固定具によってスキー板に装着したスキーアイゼンが、スキー板から脱落することを防止できる。
【００１３】
本考案において、前記固定具装着孔は円弧状に面取りされた四隅を備えた矩形輪郭をしており、これらの円弧状の四隅が前記入隅部であり、前記回転板は、矩形の四隅が円弧状に面取りされ、各辺が凹曲線によって規定された輪郭形状をしており、これらの円弧状の四隅が前記出隅部であり、前記第２回転位置においては、前記回転板における対角方向の両端に位置する２つの前記出隅部が、前記固定具装着孔における２つの前記入隅部に重なることが望ましい。このようにすれば、スキーアイゼンがガタついてスキー板から浮き上がったときに、回転板の２つの出隅部が、固定具装着孔の２つの入隅部に個々に係合可能となるので、回転板の回転を確実に阻止できる。また、回転板は、矩形輪郭の各辺が凹曲線によって規定された形状を備えているので、スキーアイゼンをスキー板に装着する際に、回転板の対向する辺部分を摘んで、操作しやすい。
【００１４】
本考案において、前記台座板と前記回転板の間には、前記締結用ボルトと同軸状態に第１ワッシャーが配置されていることが望ましい。このようにすれば、スキーアイゼンをスキー板に固定したときに回転板と台座板との間に隙間が形成されるので、スキーアイゼンがガタつく際に、スキーアイゼンの取付板部分がスキー板の表面から浮き上がる高さが増加する。この結果、回転板の出隅部と固定具装着孔の入隅部とが係合し易くなるので、回転板の回転を確実に阻止できる。また、台座板と回転板との間に第１ワッシャーを配置しておけば、回転板と台座板の間、および、スキー板の表面に載せたスキーアイゼンの取付板部分と回転板の間に隙間が形成されるので、締結用ナットを緩めるなどしなくても、回転板を容易に回転させることができる。さらに、雪などの付着によって取付板部分がスキー板の表面から浮き上がっていた場合でも回転板を回転させることができるので、雪深い山中などにおいて、スキーアイゼンをスキー板に装着する作業が容易になる。
【００１５】
本考案において、前記回転板は、金属製であることが望ましい。一般的にスキーアイゼンは金属製なので、回転板を金属製としておけば、回転板をプラスチック製とした場合と比較して、回転板とスキーアイゼンとの摺動抵抗が大きくなる。従って、台座板の外方に外れる回転板の端部と取付板部分が摺接する際に、回転板の回転を抑制できる。また、回転板をプラスチック製とした場合には、雪面や地面から受ける衝撃によって回転板が撓んで当該回転板の回転を助長することがあるが、回転板を金属製にしておけば、回転板における撓みの発生を低減できるので、回転板の回転が助長されることがない。さらに、回転板をプラスチック製とした場合には、雪面や地面から受ける衝撃などによって回転板が破損してスキー板からスキーアイゼンが脱落してしまうことがあるが、回転板を金属製としておけば、回転板の破損に起因してスキー板からスキーアイゼンが脱落することを防止できる。
【００１６】
この場合において、スキーアイゼンをスキー板に固定する際に回転板を回転し易くするためには、前記第１ワッシャーは、樹脂製であることが望ましい。また、前記回転板は、前記締結用ナットを装着するために円形凹部と、当該円形凹部の底面の中心に形成したボルト孔とを備えており、前記円形凹部の底面と前記締結用ナットの間には、前記締結用ボルトと同軸状態に樹脂製の第２ワッシャーが配置されていることが望ましい。
【００１７】
本考案において、前記スキーアイゼン固定具は、前記台座板をスキー板に締結するための４本の締結用ネジを有しており、前記台座板は、四隅に前記締結用ネジを挿通させるための貫通孔を備えていることが望ましい。このようにすれば、例えば、台座板を２本の締結用ネジでスキー板に締結した場合と比較して、台座板とスキー板の締結が堅固になる。従って、台座板がスキー板から外れることにより、スキーアイゼンがスキー板から脱落してしまうことを防止できる。
【００１８】
次に、本考案は、上記のスキーアイゼンセットのスキーアイゼン固定具とすることができる。
【００１９】
また、次に、本考案は、上記のスキーアイゼンセットのスキーアイゼンであって、前記取付板部分における幅方向の一方の端から、当該取付板部分の裏面側に延びているとともに当該取付板部分の前後方向に延びている板状の第１横滑り防止刃と、前記取付板部分における前記幅方向の他方の端から、当該取付板部分の前記裏面側に延びているとともに当該取付板部分の前記前後方向に延びている板状の第２横滑り防止刃とを有しているものとすることができる。
【考案の効果】
【００２０】
本考案のスキーアイゼンセットでは、スキー板の表面に固定した台座板に対して、回転板を台座板の表面内に収まる第１回転位置となるように位置決めし、この状態で台座板が固定具装着孔に嵌め込まれた状態となるようにスキーアイゼンをスキー板の表面に載せ、しかる後に、回転板を台座板の表面から端部が外方に外れた第３回転位置に回転させ、これにより回転板の端部とスキー板の表面と間にスキーアイゼンの取付板部分を挟んで、スキーアイゼンをスキー板に固定する。ここで、スキーアイゼンをスキー板に装着して使用しているときに、雪面や地面から受ける衝撃などによってスキーアイゼンがガタつき、振動などにより回転板が第３回転位置から第１回転位置に向かって回転すると、その途中の第２回転位置において回転板の出隅部が固定具装着孔の入隅部に重なるので、ガタつきによってスキー板から浮き上がるスキーアイゼンの固定具装着孔の入隅部と回転板の出隅部とが係合して、回転板の回転が阻止される。この結果、回転板が第１回転位置に至ることがないので、スキーアイゼン固定具によってスキー板に装着したスキーアイゼンが、スキー板から脱落することを防止できる。
【図面の簡単な説明】
【００２１】
【図１】本考案を適用したスキーアイゼンセットの斜視図である。
【図２】固定具本体の平面図、正面図、右側面図および底面図である。
【図３】固定具本体の断面図および固定具本体の使用の状態を示す平面図である
【図４】スキーアイゼン固定具によってスキーアイゼンをスキー板に装着した状態を示す斜視図である。
【図５】（ａ）は、スキー板にスキーアイゼンを装着した後に回転板が反時計回りに回転した状態を示す平面図であり、（ｂ）は（ａ）の矢印の方向から見た側面図である。
【図６】（ａ）は、変形例のスキーアイゼン固定具を用いてスキー板にスキーアイゼンを装着した後に回転板が反時計回りに回転した状態を示す平面図であり、（ｂ）は（ａ）の矢印の方向から見た側面図である。
【図７】市販されているスキーアイゼンセットを模式的に示した説明図である。
【考案を実施するための形態】
【００２２】
以下に、図面を参照して、本考案を適用したスキーアイゼンセットの実施の形態を説明する。
【００２３】
（スキーアイゼンセット）
図１は本考案を適用したスキーアイゼンセットの斜視図である。図１に示すように、スキーアイゼンセット１は、スキーアイゼン２と、スキー板にスキーアイゼン２を固定するためのスキーアイゼン固定具３を備えている。スキーアイゼン固定具３は、固定具本体３０と、４本の締結用ネジ４０を備えている。
【００２４】
（スキーアイゼン）
スキーアイゼン２は、金属製であり、鉄、アルミ、チタン、或いは、それらの合金から形成されている。図１に示すように、スキーアイゼン２は、矩形の取付板２１と、この取付板２１の幅方向の一方の端から取付板２１の裏面２１ａ側に延びているとともに、取付板２１の前後方向に延びている板状の第１横滑り防止刃２２と、幅方向の他方の端から取付板２１の裏面２１ａ側に延びているとともに、取付板２１の前後方向に延びている板状の第２横滑り防止刃２３を備えている。
【００２５】
取付板２１の前端縁部分２１ｂおよび後端縁部分２１ｃはそれぞれ上側に折り曲げられており、前端縁部分２１ｂと後端縁部分２１ｃの間は一定厚さの取付板部分２１ｄとなっている。取付板部分２１ｄには、スキーアイゼン２をスキー板に装着するための固定具装着孔２４が厚さ方向に貫通している。固定具装着孔２４の輪郭形状は、円弧状に面取りされた入隅部（四隅）２４ａ〜２４ｄを備えた長方形の矩形輪郭をしており、その長手方向は、取付板２１の幅方向と一致している。第１横滑り防止刃２２の下端縁部分および第２横滑り防止刃２３の下端縁部分には、それぞれ前後方向に離間した２箇所に切り欠き部２２ａ、２３ａが形成されている。
【００２６】
（スキーアイゼン固定具）
図２（ａ）は固定具本体の平面図であり、図２（ｂ）はその正面図であり、図２（ｃ）はその右側面図であり、図２（ｄ）は底面図である。図３（ａ）は図２（ａ）のＡ−Ａ´線における固定具本体の断面図であり、図３（ｂ）はスキーアイゼンをスキー板に固定する際の固定具本体の使用の状態を示す平面図である。なお、固定具本体の背面図はその正面図と同様に表され、左側面図は右側面図と同様に表される。
【００２７】
図１〜図３に示すように、固定具本体３０は、スキー板の表面に締結される台座板３１を備えている。台座板３１は固定具装着孔２４の深さと同一の厚さを備えている。また、台座板３１は固定具装着孔２４の輪郭形状と相補的な輪郭形状を備えている。換言すれば、台座板３１は固定具装着孔２４の輪郭形状と実質的に同一の輪郭形状を備えている。台座板３１の四隅部分には、締結用ネジ４０を挿通させるための貫通孔３１ａが形成されている。各貫通孔３１ａは、上側部分に上方に向かって径が拡大する大径部分３１ｂを備えている。
【００２８】
台座板３１の中央部分には、締結用ボルト３２を固定するための、締結用ボルト固定用貫通孔３１ｃが形成されている。締結用ボルト３２は、この締結用ボルト固定用貫通孔３１ｃに下面側（裏面側）から挿入されて固定されている。締結用ボルト固定用貫通孔３１ｃの下側部分には下方に向かって径が拡大する大径部分３１ｄが設けられており、締結用ボルト３２が台座板３１に固定された状態では、締結用ボルト３２の頭部が大径部分３１ｄ内に挿入され、雄ねじ部を備えた脚部が台座板３１の表面から垂直に突出している。
【００２９】
台座板３１の表面には、締結用ボルト３２と同軸状態に第１ワッシャー３３が配置されている。第１ワッシャー３３はポリオキシメチレンなどからなる樹脂製である。
【００３０】
第１ワッシャー３３の上面には、金属製の回転板３４が、その中央部分に設けられたボルト孔３４ａに締結用ボルト３２が挿入された状態で、積層されている。回転板３４は、固定具装着孔２４の入隅部２４ａ〜２４ｄと相補的な形状をした出隅部（四隅）３４ｂ〜３４ｅを備える輪郭形状をしている。より具体的には、回転板３４は、台座板３１の輪郭形状よりも僅かに小さい相似形状において、円弧状の四隅の間の各辺が凹曲線によって規定された輪郭形状をしており、円弧状の四隅が出隅部３４ｂ〜３４ｅとなっている。その平面形状は回転対称である。また、回転板３４は、上端縁部分に下方に傾斜するテーパー面３４ｆを備えている。回転板３４のボルト孔３４ａの周囲には円形凹部３４ｇがボルト孔３４ａと同軸状態に形成されている。
【００３１】
円形凹部３４ｇには、ポリオキシメチレンなどの樹脂製の第２ワッシャー３５と、ステンレス鋼などの金属製の第３ワッシャー３６が、それぞれ締結用ボルト３２と同軸状態に下側からこの順番で配置されている。
【００３２】
締結用ナット３７は、締結用ボルト３２の雄ねじ部にねじ込まれており、台座板３１と共に回転板３４を回転可能に挟持している。回転板３４は、締結用ボルト３２を中心として回転可能であり、図２（ａ）に示す、台座板３１の表面内に収まる初期位置（第１回転位置）３４Ａと、台座板３１の表面から両端部３４ｈが外方に外れた固定位置（第３回転位置）３４Ｂとの間を変位する。
【００３３】
（スキーアイゼンのスキー板への装着）
図４はスキーアイゼンをスキー板に装着した状態を示す斜視図である。
【００３４】
スキーアイゼン固定具３は、予め、スキー板５に締結しておく。具体的には、まず、締結用ボルト３２が固定された台座板３１を、４本の締結用ネジ４０によってスキー板５の表面５ａに締結する。しかる後に、第１ワッシャー３３、回転板３４、第２ワッシャー３５および第３ワッシャー３６をこの順番で台座板３１上に載置して、締結用ボルト３２に締結用ナット３７を捩じ込み固定する。台座板３１がスキー板５に締結された状態では各締結用ネジ４０の頭部は台座板３１の各貫通孔３１ａの大径部分３１ｂ内に収納されている。
【００３５】
山中でスキーアイゼン２をスキー板５に装着する際には、まず、回転板３４を台座板３１の表面内に収まる初期位置３４Ａに位置決めしておく。この状態で、第１、第２横滑り防止刃２２、２３がそれぞれスキー板５の左右のエッジ５ｂ、５ｃの両側から下方に突出するようにして、取付板２１をスキー板５の表面５ａに載せて、固定具装着孔２４に台座板３１を嵌め込む。ここで、回転板３４は、上端縁部分にテーパー面３４ｆを備えているので、台座板３１および回転板３４を固定具装着孔２４に挿入することが容易になっている。
【００３６】
次に、図４の矢印で示すように、回転板３４を締結用ボルト３２を中心として時計回りに９０度回転させて、その両端部３４ｈが台座板３１の外方に外れた固定位置３４Ｂに位置決めする（回転板３４を反時計回りに９０度回転させても同様の状態となる）。これにより、回転板３４の両端部３４ｈとスキー板１３０との間に取付板２１を挟んで、スキーアイゼン１１０をスキー板１３０に着脱可能に固定する。
【００３７】
ここで、回転板３４は、長方形の各辺が凹曲線によって規定された輪郭形状を備えているので、スキーヤーは、対向する辺部分を摘んで回転板３４を操作しやすい。また、回転板３４と台座板３１との間、および、回転板３４と締結用ナット３７との間にそれぞれ樹脂製の第１、第２ワッシャー３３、３５が配置されているので、これらの間の摺動抵抗が小さくなっており、回転板３４を容易に回転させることができる。
【００３８】
さらに、台座板３１と回転板３４との間に第１ワッシャー３３が配置されているので、回転板３４と台座板３１の間、および、スキー板５の表面５ａに載せたスキーアイゼン２の取付板２１と回転板３４の間に隙間が形成されている。この結果、締結用ナット３７を緩めるなどしなくても、回転板３４を容易に回転させることができる。
【００３９】
また、第１ワッシャー３３により、スキー板５に載せたスキーアイゼン２の取付板２１と回転板３４の間に隙間が形成されているので、雪などの付着によってスキーアイゼン２の取付板２１がスキー板５の表面５ａから浮き上がっていた場合でも、台座板３１上で回転板３４を回転させて、スキーアイゼン２をスキー板５に固定できる。従って、雪深い山中などにおいて、スキーアイゼン２をスキー板５に装着する作業が容易である。
【００４０】
スキーアイゼン２がスキー板５に装着された状態とされた後には、スキーヤーがスキー板５に体重を載せると、２枚の横滑り防止刃２２、２３がスキー板５の左右のエッジ５ｂ、５ｃの両側で雪面に食い込む。従って、スキー板５の横滑りが低減されて、登高などが楽になる。
【００４１】
（スキーアイゼンの脱落防止効果）
図５（ａ）は、スキー板にスキーアイゼンを装着した後に回転板が固定位置から回転した状態を示す平面図であり、図５（ｂ）は、図５（ａ）の矢印の方向から見た側面図である。なお、図５（ｂ）では、後端縁部分２１ｃを省いて示してある。
【００４２】
本例によれば、スキーアイゼン２をスキー板５に装着して使用したときに、雪面や地面から受ける衝撃などによってスキーアイゼン２がガタついて、振動などにより回転板３４が固定位置３４Ｂから初期位置３４Ａに向かって回転すると、その途中の係合位置（第２回転位置）３４Ｃにおいて、回転板の対角線方向の両端に位置する２つの出隅部が固定具装着孔の入隅部に重なる。従って、回転板３４が係合位置３４Ｃにあるときに、雪面や地面から受ける衝撃などによってスキーアイゼンがガタつくと、ガタつきによりスキー板５から浮き上がったスキーアイゼン２の固定具装着孔２４の入隅部と回転板の出角部とが係合して、回転板３４の回転が阻止される。
【００４３】
例えば、回転板３４が固定位置３４Ｂから反時計回りに回転した場合には、図５に示す係合位置３４Ｃで、回転板３４の回転方向の側に位置する出隅部３４ｂ、３４ｄと、回転板３４の回転方向の先に位置していた固定具装着孔２４の入隅部２４ｂ、２４ｄが、締結用ボルト３２回りの同一の角度位置で重なる。この状態で、スキーアイゼン２がガタついて、その右側部分がスキー板５から浮き上がると、図５（ａ）において右下に位置する回転板３４の出隅部３４ｂおよび固定具装着孔２４の入隅部２４ｂが係合して、回転板３４の回転が阻止される。すなわち、一点鎖線で示す位置で、回転板３４と固定具装着孔２４の縁部分が干渉して、回転板３４の回転が阻止される。
【００４４】
また、図５（ｂ）において二点鎖線で示すように、スキーアイゼン２がガタついて、その左側部分がスキー板５から浮き上がった場合には、図５（ａ）において、左上に位置する回転板３４の出隅部３４ｄおよび固定具装着孔２４の入隅部２４ｄが係合するので、回転板３４の回転が阻止される。従って、スキーアイゼン固定具３によってスキー板５に装着したスキーアイゼン２が、スキー板５から脱落することを防止できる。
【００４５】
また、図示は省略するが、回転板３４の平面形状は回転対称なので、回転板３４が固定位置３４Ｂから時計回りに回転した場合にも、回転板３４が初期位置３４Ａから１８０度回転して台座板３１の表面内に収まる状態となる前に、回転板３４の回転方向の側に位置する出隅部３４ｃ、３４ｅと、スキーアイゼン２の固定具装着孔２４の回転方向の先にある入隅部２４ｃ、２４ａが重なる係合位置があり、この係合位置においても、ガタつきによりスキーアイゼン２が浮き上がると、回転板３４の出隅部３４ｃ、３４ｅと、固定具装着孔２４の入隅部２４ｃ、２４ａとが係合する。従って、本例によれば、回転板３４が固定位置３４Ｂからいずれの方向に回転した場合でも、回転板３４が台座板３１の表面内に収まる状態になる前に、回転板３４の回転が阻止される。よって、スキーアイゼン固定具３によってスキー板５に装着したスキーアイゼン２が、スキー板５から脱落することを防止できる。
【００４６】
加えて、本例では、台座板３１と回転板３４との間に第１ワッシャー３３が配置されており、スキーアイゼン２をスキー板５に固定したときに回転板３４とスキーアイゼン２の取付板部分２１ｄとの間に隙間が形成されている。この結果、第１ワッシャー３３が配置されていない場合と比較して、回転板３４のガタつきと共にスキーアイゼン２の取付板部分２１ｄがスキー板５の表面５ａから浮き上がる高さが増加しているので、回転板３４の出隅部と、固定具装着孔２４の入隅部が係合し易い。従って、回転板３４の回転が確実に阻止される。
【００４７】
次に、本例では、回転板３４を金属製としてあるので、回転板３４をプラスチック製とした場合と比較して、金属製のスキーアイゼン２と回転板３４との間の摺動抵抗が大きくなっている。この結果、回転板３４の両端部分３４ｈがスキーアイゼン２の取付板部分２１ｄの上面と摺接する際に、回転板３４の回転を抑制できる。
【００４８】
また、回転板３４をプラスチック製とした場合には、雪面や地面から受ける衝撃によって回転板３４が撓んで当該回転板３４の回転を助長することがあるが、回転板３４を金属製としたので、回転板３４における撓みの発生を低減でき、回転板の回転が助長されることがない。
【００４９】
さらに、回転板３４を金属製としてあるので、雪面や地面から受ける衝撃などによって回転板３４が破損することがない。従って、回転板３４の破損に起因してスキー板５からスキーアイゼン２が脱落することを防止できる。
【００５０】
また、本例では、台座板３１は４本の締結用ネジによってスキー板５に締結されているので、市販のスキーアイゼンセット１００のように台座板３１を２本の締結用ネジ４０でスキー板５に締結した場合と比較して、台座板３１とスキー板５の締結が堅固になる。従って、スキー板５から台座板３１が外れることにより、スキーアイゼン２がスキー板５から脱落してしまうことを防止できる。
【００５１】
（スキーアイゼン固定具の変形例）
図６は、変形例のスキーアイゼン固定具を用いてスキー板にスキーアイゼンを装着した後に回転板が固定位置から回転した状態を示す平面図であり、図６（ｂ）は、図６（ａ）の矢印の方向から見た側面図である。なお、図６（ｂ）では、後端縁部分２１ｃを省いて示してある。また、図６のスキーアイゼン固定具３´は上記の実施の形態のスキーアイゼン固定具３と同一の構成を備えているので、対応する構成には同一の符号を付して、その説明を省略する。
【００５２】
本例では、回転板３４´の矩形輪郭の各辺のうち、長手方向の両端に位置する各辺３４ｉ、３４ｊをスキーアイゼン固定具３よりも深く湾曲させてある。
【００５３】
本例によれば、図６（ａ）に示すように、回転板３４´の出隅部３４´ｂ、３４´ｄとスキーアイゼン２の固定具装着孔２４の入隅部２４ｂ、２４ｄが重なる係合位置３４´Ｃにおいて、スキーアイゼン２がガタついてスキー板５から浮き上がると、スキーアイゼン固定具３で固定した場合よりも、取付板２１の幅方向の内側寄りの一点鎖線で示す位置で回転板３４´と固定具装着孔２４の縁部分が干渉する。このため、図６（ｂ）に示すように、スキーアイゼン固定具３で固定した場合よりも、スキーアイゼン２の取付板部分２１ｄがスキー板５から高く浮き上がり、回転板３４´とスキーアイゼン２の固定具装着孔２４との係合が深くなる。従って、回転板３４´の回転が確実に阻止される。
【００５４】
なお、上記の回転板３４、３４´は、台座板３１の輪郭形状よりも僅かに小さい相似形状において、円弧状の四隅の間の各辺が凹曲線によって規定された輪郭形状をしているが、回転板の輪郭形状を、台座板３１の輪郭形状と同一の形状において、円弧状の四隅の間の各辺が凹曲線によって規定したものとすることもできる。このようにしても、回転板が回転したときに、回転板の出隅部とスキー板５から浮き上がったスキーアイゼン２の固定具装着孔２４の入隅部とが係合するので、回転板の回転が阻止される。
【００５５】
（その他の実施の形態）
上記の実施の形態において、第１ワッシャー３３はステンレス鋼などの金属製としてもよい。また、上記の実施の形態から第１ワッシャー３３、第２ワッシャー３５、第３ワッシャー３６を省略することもできる。ここで、第１ワッシャー３３を省略した場合でも、スキーアイゼン２がガタつくときには、係合位置３４Ｃにおいて、スキーアイゼン２の取付板部分２１ｄがスキー板５から浮き上がっているので、回転板４の出隅部とスキーアイゼン２の固定具装着孔２４の入隅部が係合して、回転板３４の回転が阻止される。
【符号の説明】
【００５６】
１・１００  スキーアイゼンセット
２・１１０  スキーアイゼン
３・３´・１２０  スキーアイゼン固定具
４・１２５  回転板
５・１３０  スキー板
５ａ・１３０ａ  表面
２１・１１１  取付板
２１ｄ  取付板部分
２２・２３・１１２・１１３  横滑り防止刃
２４・１１４  固定具装着孔
２４ａ〜２４ｄ  入隅部
３０・１２１  固定具本体
３１・１２３  台座板
３１ａ・１２３ａ  貫通孔
３１ｈ  両端部
３２・１２４  締結用ボルト
３３  第１ワッシャー
３４・３４´・１２５  回転板
３４ａ  ボルト孔
３４ｂ〜３４ｅ  出隅部
３４ｈ・１２５ａ  両端部
３４Ａ・１２５Ａ  初期位置（第１回転位置）
３４Ｂ・１２５Ｂ  固定位置（第３回転位置）
３４Ｃ  係合位置（第２回転位置）
３５  第２ワッシャー
３６  第３ワッシャー
３７・１２６  締結用ナット
【図１】
0003157902.tif 000003
【図２】
0003157902.tif 000004
【図３】
0003157902.tif 000005
【図４】
0003157902.tif 000006
【図５】
0003157902.tif 000007
【図６】
0003157902.tif 000008
【図７】
0003157902.tif 000009